【事件の表示】
　上記当事者間の特許第３４７７００１号発明「地下貯水槽」の特許無効審判事件について、次のとおり審決する。
【結　論】
　本件審判の請求は、成り立たない。
　審判費用は、請求人の負担とする。
【理　由】
［１］手続の経緯
　平成　８年　６月２８日　　出願（特願平８−１８８９１２号）
　平成１５年　９月２６日　　設定登録
　平成１６年　８月２６日　　無効審判請求
　平成１６年１１月１５日　　答弁書
（その後、当審は請求人に対して被請求人の提出した答弁書副本を送付し、意見を求めたが、請求人からは何らの応答もなかった。）
　　　　　　　
　　　　　　　
［２］当事者の主張
［２−１］請求人の主張及び提出した証拠方法
　請求人は、「特許第３４７７００１号の特許の明細書に記載された特許を無効にする。審判費用は被請求人の負担とする。との審決を求める。」という趣旨で無効審判を請求し、審判請求書において、甲第１号証乃至甲第１７号証の２を提示し、以下の無効理由を主張している。
１．本件特許の請求項１〜８に係る発明は、「本件出願前に公知の甲第３号証乃至甲第１０号証及び甲第１３号証乃至甲第１６号証に記載された発明から当業者が容易に発明できたものであり、特許法第２９条第２項の規定により特許を受けることができない」ので、本件特許の請求項１〜８に係る発明についての特許は、特許法第１２３条第１項第２号の規定により、無効とすべきである。
　甲第１号証：特許第３４７７００１号公報（本件特許明細書）
　甲第２号証：本件特許の基本情報及び出願情報を記載した書面
　甲第３号証：「海の都の物語　ヴェネツィア共和国の一千年」、塩野七生著、表紙、奥付、中央公論社、昭和５５年１０月３０日初版発行、Ｐ．３８〜４１、「第一話　ヴェネツィア誕生」の項
　甲第４号証：「雨水技術資料　ＶＯＬ．１０　特集／都市の潤い」、表紙、奥付、社団法人雨水貯留浸透技術協会、平成５年９月発行、Ｐ．８９、「INFILTRATION　WORLD−海外の雨水浸透−」の項
　甲第５号証：特公平７−３０５３２号公報
　甲第６号証の１：仏国特許発明第２６０４７３７号明細書
　甲第６号証の２：同上、翻訳文
　甲第７号証：特公平４−２６６４８号公報
　甲第８号証：特開昭６２−１１１０３１号公報
　甲第９号証：特公平７−８６２３９号公報
　甲第１０号証：特開平８−３０２６９２号公報
　甲第１１号証：特許第３１９８４７９号公報
　甲第１２号証：無効２００３−３５４００（特許第３１９８４７９号）の審決
　甲第１３号証：実願平４−５７５６２号（実開平６−１８５３８号）のＣＤ−ＲＯＭ
　甲第１４号証：実願平５−６０１５６号（実開平７−２９１８５号）のＣＤ−ＲＯＭ
　甲第１５号証：実願平３−７５６３６号（実開平５−１９４５３号）のＣＤ−ＲＯＭ
　甲第１６号証：登録実用新案第３０２２６６７号公報
　甲第１７号証の１：「広辞苑　第五版」、新村出編、株式会社岩波書店、１９９８年１１月１１日第五版第一刷発行、Ｐ．１１５２、「し・きり【仕切り】」の項
　甲第１７号証の２：同上、Ｐ．５４６、「かべ【壁】」の項
２．「本件特許明細書の『発明の詳細な説明』の記載及び図面は本件発明についての開示が不十分かつ不明瞭であり、当業者が実施できる程度に記載されておらず、また、本件発明の必須の構成要件が欠落して記載されているので、特許法第３６条第４項・・・及び第６項（第４号を除く）に規定する要件を満たしていない特許出願である」から、本件特許の請求項１〜８に係る発明についての特許は、特許法第１２３条第１項第４号の規定により、無効とすべきである。
　　　　　
［２−２］被請求人の主張
 　一方、被請求人は、「本件審判の請求は成り立たない、審判費用は請求人の負担とする、との審決を求める。」という趣旨で、平成１６年１１月１５日付け答弁書において、「被請求人は請求人の主張する請求の理由及び提出された証拠を詳細に検討したが、本件特許は請求人の主張するような無効事由を有しないものであり、請求人の主張は失当であると言わねばならない。」と主張している。
　　　　　　
　　　　　　
［３］本件特許発明
　本件各請求項に係る発明は、特許明細書の特許請求の範囲の請求項１〜８に記載された事項により特定される、以下のとおりのものである。
　「【請求項１】地中に凹入状に形成されかつ周囲壁面が上開き状に傾斜している水溜め空間における底壁面とその底壁面に連続する上記周囲壁面とが通水性を持たない遮水シートで被覆され、縦方向および横方向に並べられかつ上下に段積みされた水溜め用の空隙を有する多数の積上げ部材でなる集合体が上記底壁面に上記遮水シートを介して配備されていると共に、この集合体の周囲に、垂直に立ち上げられた通水性を有する仕切壁が設けられ、この仕切壁と上記周囲壁面との間の空間に小形固形物の集合でなる通水層が配備され、上記集合体と上記通水層との上に透水層が配設されていることを特徴とする地下貯水槽。
【請求項２】上記水溜め用の空隙に上記遮水シートと上記通水層とを貫通して延びる地表水導入路の終部が配置されていると共に、その水溜め用の空隙に溜まった水を排水するための排水路を備える請求項１に記載した地下貯水槽。
【請求項３】上記集合体を形成している個々の上記積上げ部材が、合成樹脂製の骨格構造体でなる請求項１または請求項２に記載した地下貯水槽。
【請求項４】上記水溜め空間の底部に排水溝が設けられ、上記排水路の始部がこの排水溝に接続されている請求項２に記載した地下貯水槽。
【請求項５】上記積上げ部材が、上記排水溝を跨いで設置されている請求項３または請求項４に記載した地下貯水槽。
【請求項６】上記通水層を形成する上記小形固形物が、砕石や砂利、玉石などの小石である請求項１に記載した地下貯水槽。
【請求項７】上記透水層が土砂層でなる請求項１に記載した地下貯水槽。
【請求項８】上記仕切壁が複数の平板を結合したものである請求項１に記載した地下貯水槽。」（以下、請求項１〜８に係る発明を、それぞれ、「本件特許発明１」等という。）
　　　　　　　　
　　　　　　　　
［４］当審の判断
［４−１］特許法第３６条について
［４−１−１］本件特許明細書の記載が明確でないとする点の概要
１．本件特許発明１に係る請求項１において、「縦方向および横方向に並べられかつ上下に段積みされた水溜め用の空隙を有する多数の積上げ部材でなる集合体が」における「積上げ部材」が、いかなる意味を有するものか、あるいはいかなる構成のものか明確でない。
２．本件特許発明１に係る請求項１において、「集合体の周囲に、垂直に立ち上げられた通水性を有する仕切壁が設け」における「通水性を有する仕切壁」が、いかなる意味を有するものか、あるいはいかなる構成のものか明確でない。
３．本件特許発明３に係る請求項３において、「集合体を形成している個々の上記積上げ部材が、合成樹脂製の骨格構造体でなる」における「骨格構造体」が、いかなる意味を有するものか、あるいはいかなる構成のものか明確でない。　　　　　　　
４．本件特許発明４に係る請求項４において、「水溜め空間の底部に排水溝が設けられ、上記排水路の始部がこの排水溝に接続されている」における「排水溝」が、いかなる意味を有するものか、あるいはいかなる構成のものか明確でない。
５．本件特許明細書の段落【００３２】【発明の効果】において、「荷重によって集合体が崩壊するような事態も起こらない。また、仕切壁が垂直に立ち上がっているので、集合体の納まりがよくなる」との記載は、水溜め空間に垂直に立ち上がった仕切壁が存在すると、当該仕切壁が積上げ部材の積み上げの邪魔になるために、水溜め空間に積上げ部材（集合体）を縦方向および横方向に並べることが難しくなり、物理的に積上げ部材（集合体）の納まりが悪くなることは明らかであるから、作用効果の記載は矛盾している。
　　　　　　　
［４−１−２］検討・判断
１．上記１．については、「積上げ部材」が、「縦方向および横方向に並べられかつ上下に段積みされた水溜め用の空隙を有する」ものであるとの意味或いは構成であることは、当該請求項１の記載どおりのもの、或いは、その字句どおりのものとして明確に把握でき、また、「積上げ部材」の具体的な構成は、本件特許明細書の段落【００２３】〜【００２６】、及び、図２，４，５に明確且つ充分に記載されているから、請求項１の記載に、請求人主張のような不備はない。
２．上記２．については、「通水性を有する仕切壁」が、水を通す性質を有する仕切用の壁の意味或いは構成であることは、その字句どおりのものとして明確に把握でき、また、「通水性を有する仕切壁」の具体的な構成は、本件特許明細書の段落【００１９】に明確且つ充分に記載されているから、請求項１の記載に、請求人主張のような不備はない。
３．上記３．については、「骨格構造体」が、「積上げ部材」をより具体的にしたものであるとの意味或いは構成であることは、当該請求項３の記載どおりのものとして明確に把握でき、また、「骨格構造体」の具体的な構成は、本件特許明細書の段落【００２３】〜【００２６】、及び、図２，４，５に明確且つ充分に記載されているから、請求項３の記載に、請求人主張のような不備はない。
４．上記４．については、「排水溝」が、水溜め空間の底部に設けられた排水用の溝の意味或いは構成であることは、当該請求項４の記載どおりのもの、或いは、その字句どおりのものとして明確に把握でき、また、「排水溝」の具体的な構成は、本件特許明細書の段落【００２０】に明確且つ充分に記載されているから、請求項４の記載に、請求人主張のような不備はない。
５．上記５．については、垂直に立ち上がった「仕切壁」が、「積上げ部材」を水溜め空間に縦方向および横方向に並べるためのガイド壁として利用でき、これにより、集合体の納まりがよくなることは明らかであるから、発明の詳細な説明の作用効果の記載に、何ら矛盾する点はなく、請求人主張のような不備はない。
　　　　　　　
［４−１−３］特許法第３６条についてのまとめ
　結局、本件特許発明１に係る請求項１、本件特許発明３に係る請求項３、及び、本件特許発明４に係る請求項４の記載、並びに、発明の詳細な説明の作用効果の記載に、何らの不備はないから、本件特許発明１〜８についての特許が、特許法第３６条第４項又は第６項（第４号を除く）に規定する要件を満たしていない特許出願に対してされたものと云うことはできない。
　　　　　　　
［４−２］特許法第２９条第２項について
［４−２−１］甲各号証の記載事項
　請求人は、甲第１号証乃至甲第１７号証の２を提示しているが、本件特許の請求項１〜８に係る発明は、「本件出願前に公知の甲第３号証乃至甲第１０号証及び甲第１３号証乃至甲第１６号証に記載された発明から当業者が容易に発明できたものであり、特許法第２９条第２項の規定により特許を受けることができない」と主張しているので、以下、甲第３号証乃至甲第１０号証及び甲第１３号証乃至甲第１６号証についてのみ摘記する。
１．甲第３号証
　本件出願前に頒布された刊行物である甲第３号証には、以下の事項が記載されている。
（ａ）「教区に住む人々にとっての、もうひとつの共同事業は、ポッツォと呼ばれる井戸であったろう。井戸は、広場にも小広場にも空地にも、その中央部に必ずひとつは設けられていた。ただし、ポッツォを井戸と訳すのには、少々のためらいを感じないでもない。・・・ヴェネツィアの井戸は、地下水を汲みあげるのでなく、雨水を貯め、それを汲みあげるものだからである。貯水槽と訳したほうが適訳かもしれない。」（Ｐ．３８、６〜１２行）
（ｂ）「まず、広場の中央を許されるかぎりの大きさで、正方形に深く掘りさげる。プールをつくるのだ。そして、次に、そのプールの内側を、支那鍋の底のようになるように粘土で固める。下からしみこむ海水の塩分と、貯まる雨水を接触させないための防壁の役をするのが、この粘土層である。これができると、粘土のプールの内部を、多量の砂で埋める。次いで四カ所に、天井に向いた穴の開いた底のない箱型のものを、砂の中に埋めこむ。天井の穴から流れこんだ雨水は、砂の層を通ることによって濾過され、支那鍋のようにできた粘土層を伝わって中央部に貯まる。中央部には、水に強いイストリア産の石盤が沈ませてある。浄水となった雨水は、その上に貯まり、上から掘られた井戸の内部を満たしていき、汲みあげられるのを待つ、という仕掛けである。」（Ｐ．３９、２〜１２行）
（ｃ）そして、（図１）（図２）に、浄水の汲みあげ口（４）を有し上から掘られ下方に隙間を有して設けられた井戸の壁と、支那鍋のようにできた粘土層（１）の周囲壁面との間に、砂の埋まっている部分（２）（砂の層からなる通水層）が形成されてなるポッツォが記載されていることは、当業者に明らかな事項である。
２．甲第４号証
　本件出願前に頒布された刊行物である甲第４号証には、以下の事項が記載されている。
　グレーチング（Ｇｒａｔｅ）の下側に透水性コンクリート（Ｐｅｒｆｏｒａｔｅｄ　Ｉｎｌｅｔ）を配置した浸透ます、及び、砕石（Ａｇｇｒｅｇａｔｅ）が透水シート（Ｆｉｌｔｅｒ　Ｆａｂｒｉｃ）により囲まれた浸透トレンチ。
３．甲第５号証
　本件出願前に頒布された刊行物である甲第５号証には、地下貯水槽の形成方法に関して、以下の事項が記載されている。
（ａ）「【請求項１】泥岩、コンクリート等で形成された不透水層で形成された凹所と、この凹所に砂利等の帯水材を人工的に層積して人工の帯水層を形成し、この人工の帯水層の上面には表部不透水層を人工的に層積すると共に該表部不透水層より前記帯水層へ通じ、前記帯水層へ水を導く給水手段を形成し、更に、前記帯水層の水を外部へ取水する取水手段を設けたことを特徴とする地下貯水槽の形成方法。【請求項２】泥岩、コンクリート等で形成された不透水層で形成された凹所は、断面略Ｌ形の泥岩等の底部不透水層と、この断面略Ｌ形の底部不透水層の立設する壁と対向する側に設けられたコンクリート製の遮水壁とで構成された特許請求の範囲第１項記載の地下貯水槽の形成方法。【請求項３】泥岩、コンクリート等で形成された不透水層で形成された凹所は、底部が泥岩等の底部不透水層と、該底部より立設したコンクリート製の遮水壁とで構成された特許請求の範囲第１項記載の地下貯水槽の形成方法。」（特許請求の範囲） 
（ｂ）「第１図及び第２図において、Ｘは、泥岩、コンクリート等で形成された不透水層で形成された凹所で、凹所Ｘは、・・・泥岩等の底部不透水層１と、・・・コンクリート製の遮水壁７とで構成されている。底部不透水層１は、工場２等を設置する敷地内の凹地の底に形成した泥岩からなる底部不透水層で、下部への水の浸透を防止する。この底部不透水層１の上面つまり凹所Ｘに帯水材（例えば、砂、砂礫、割石等）４を人工的に層積して多くの空隙５を有する人工の帯水層６を形成し、効果的な含水を可能とする。」（２頁３欄４０行〜４欄２行） 
４．甲第６号証の１（甲第６号証の２：翻訳文）
　本件出願前に頒布された刊行物である甲第６号証の１には、自然水の貯蔵と調整のためのハニカム構造貯水槽に関して、以下の事項が記載されている。（甲第６号証の２の翻訳文を参照。）
（ａ）「図１に示されるタンポン貯水槽（１）は、排出層（２）及び熱可塑性プラスチックの押出し成型により作られた望ましくはポリプロピレン製の垂直巣穴（４）の並列から成るハニカム層（３）から成る。・・・貯水槽は内部に排出オリフィス（５）を備え、排出層（２）と排水網（６）をつなぐ。」（明細書４頁３６行〜５頁８行）
（ｂ）「排出層（２）は、・・・砂利の層（７）または一連の間柱（８）により構成される。」（明細書５頁１１〜１３行）
（ｃ）「ハニカム層は被覆層（１１）で覆われるが、被覆層は土、コンクリート、アスファルト等いかなる既知の被覆でも良い。」（明細書５頁２０〜２２行）
（ｄ）「タンポン貯水槽のまわりの土は崩れ得るので、貯水槽の垂直境面（１３）および底（１４）をプラスチックシート、ターポリン又はアスファルト層から成る防水膜（１６）で覆う。」（明細書５頁２７〜３０行）
（ｅ）「集積する水は排出層（２）のレベルに作られたオリフィス（１７）を通して貯水槽に注がれる。図２の実施例では貯水槽はハニカム第一層（３）および間柱（２０）から成る分離層（１９）を介したハニカム第二層（１８）から成る。集積水の注入はこの例では分離層（１９）のレベルで行われる。」（明細書５頁３３行〜６頁１行）
（ｆ）「図２（当審注：図３の誤り）で代表される別の実施例では、堤のわき（２２）に貯水槽が地下埋設され、芝を植えた土の被覆層（１１）で覆われる。堤わきに向かって傾斜する法面を持つ既知の方法で造成された堤（２３）から水は流れて、被覆層（１１）を通して濾過され、タンポン貯水槽に注ぐ。・・・穴開き配管（２４）が排出層（２）の中に配置され、これに集水機能と排水網への排出機能を持たせる。排水網へは流量を規制するオリフィスを介して通ずる。」（明細書６頁４〜１３行）
５．甲第７号証
　本件出願前に頒布された刊行物である甲第７号証には、雨水等の貯留浸透施設に関して、以下の事項が記載されている。
（ａ）「１　地面を掘下げてタンク部を構成し、上記タンク部内に、その底部からグランドライン付近まで、複数の容器状部材を縦横かつ上下に配設して充填し、最上部には、被覆手段を施したことを特徴とする雨水等の貯留浸透施設。２　上記容器状部材を、多数の孔を有する底部及び周側板で構成したことを特徴とする特許請求の範囲第１項記載の雨水の貯留浸透施設。３　上記容器状部材を、底部に向かつて小さくなるテーパ状に構成したことを特徴とする特許請求の範囲第１項又は第２項記載の雨水等の貯留浸透施設。４　上記容器状部材の周囲に砂利を充填したことを特徴とする特許請求の範囲第３項記載の雨水等の貯留浸透施設。５　上記被覆手段として、砂利層を構成したことを特徴とする特許請求の範囲第１項記載の雨水等の貯留浸透施設。６　上記容器状部材の上下の配設を、相互に底部は底部と対尾させ、開口部は開口部と対面させつつ行なつたことを特徴とする特許請求の範囲第１項記載の雨水等の貯留浸透施設。」（特許請求の範囲）
（ｂ）「上記タンク部は、基本的には、単純に地面を掘下げて造成したものである。側面には特別にコンクリートを打設するようなことはしないので、適当な傾斜をつけるのが好ましい。上記タンク部の寸法、形状はその地域での雨水の最大貯留容量を考慮して決定する。また上記容器状部材は、その形状寸法を種々に構成することができる。たとえば、一面を開口した立方体状、直方体状又は有底の円筒状等に形成することができる。その周側板及び底板には、多数の孔をあけるか、又はそれら自体を網状乃至は格子状に形成するのが良い。」（２頁３欄１３〜２５行）
（ｃ）「上記・・・容器状部材は、いずれにしても、周側板及び底部を格子状、網状又は多孔状に構成することは前記した通りである。また連設配置の方式は上記に限定されるものではないし、接続手段も上記に限定されないことは言うまでもない。更に材質については、プラスチツク材その他を適当に選択することができる。また上記のように、連設配置する際に、タンク部の底部には砂利を敷くのが都合が良い。更に必要に応じて、上下方向への配設途中でも、容器状部材の周囲の空間部に砂利を充填することも差支えない。また前記被覆手段は、砂利を敷き、その上に土壌を投入して構成する等、自由な構成を採用することができる。容器状部材を充填したタンク部の領域を被覆できれば良い。被覆手段として土壌を投入した場合には、芝生等を植生し、樹木を植えることもできる。このタンク部内には、住宅周辺等の雨水等の排水を集める側溝の排水口等を接続する。またこのタンク部には、上記側溝の排水口より若干低い位置に河川等に接続する流出口を設け、オーバーフローを流出させる。」（２頁４欄４１行〜３頁５欄１９行）
（ｄ）「まず第１図〜第４図に基づいて第一の実施例を説明する。第１図に示したように、地面１を掘下げてタンク部２を構成する。タンク部２の形状は平面四辺形を基本として造成し、側壁部２ａは緩やかな傾斜面とする。このタンク部２の底部２ｂ及び側壁部２ａには、コンクリート等は打設しない。このタンク部２の底部２ｂには、砂利を敷き詰め、砂利層３を構成し、その砂利層３上に箱形部材４，４…を連設配置する。・・・また上記箱形部材４，４…の側板及び底板には多数の孔５，５…を穿設する。これらの孔５，５…は通常の寸法の砂利が通過し得ない程度の寸法とする。・・・しかして上記箱形部材４，４…はタンク部２内に次のように設置する。前記のように、タンク部２の底部２ｂ上に砂利層３を構成し、第１図に示したように、この砂利層３上に、まず、箱形部材４，４…を・・・連設配置する。最下部の箱型部材４，４…の配置は、概略的には、第４図に示すように、縦横に連設するものである。上記のように砂利層３上に配置した各箱形部材４，４…上に、第１図及び第３図に示したように、・・・他の箱形部材４，４…を一対一の関係で載置し、・・・結合させる。こうして二段に箱形部材４，４…を積重ね結合した後は、更に上方の各箱形部材４，４…の底部上に、他の箱形部材４，４…を、相互に一対一の関係で載置し、・・・結合させる。以下順次地面の高さより若干下方に位置するまで、第１図に示したように、同様の積重ね方で・・・積重ねる。なおこの場合、必要に応じて、隣接する箱形部材４，４間に砂利を装入する。最上部の箱形部材４，４…上には、砂利を敷設し、その上に土壌を投入して被覆層９を造成する。また上記タンク部２には、側壁部２ａに住宅地等から通じる側溝１０を接続し、これより若干低い位置に河川に接続する流出口１１を接続する。」（３頁６欄１２行〜４頁７欄２５行） 
（ｅ）「しかしてもし集中豪雨等があつた場合にも、それらの雨水は、側溝１０等を通じてタンク部２内に流入し、一時的には雨水等をこのタンク部２内に滞留保管させて道路や宅地周辺等の被害を未然に防止し、若干長期的には、それらの雨水を地中に浸透させるという、自然のサイクルに従つた作用を行なうものである。」（４頁７欄４４行〜８欄６行）
（ｆ）「本発明によれば、施工の容易な簡易な構成で、一時的には、充分に雨水等の自然水を貯留し、かつ若干長期的には、雨水等を地下に浸透させることができる。河川等への雨水の放流に時間差を生じさせるばかりでなく、これを減少させ、またはなくすこともできる。」（５頁１０欄７〜１２行）
（ｇ）そして、第１図の記載及び「上記タンク部は、基本的には、単純に地面を掘下げて造成したものである。側面には特別にコンクリートを打設するようなことはしないので、適当な傾斜をつけるのが好ましい。」（記載事項（ｂ）参照。）との記載からみて、タンク部２の側壁部２ａが上開き状に傾斜していることは、当業者に明らかな事項である。また、第１図の記載及び「連設配置する際に、タンク部の底部には砂利を敷くのが都合が良い。更に必要に応じて、上下方向への配設途中でも、容器状部材の周囲の空間部に砂利を充填することも差支えない。」（記載事項（ｃ）参照。）との記載からみて、タンク部２の側壁部２ａと箱形部材４（容器状部材）との間に砂利層が形成されていることも、当業者に明らかな事項である。
６．甲第８号証
　本件出願前に頒布された刊行物である甲第８号証には、雨水涵養兼人工貯水法に関して、以下の事項が記載されている。
（ａ）「地下に隔離膜構造の人工貯水槽を作り雨水の流入を計り、この貯水槽の雨水流入口と揚水個所に磁鉱石を含む濾材を配置し水の浄化を計り、隔離膜の内部には鋳鉄管等の空隙の多い頑丈な加工物と砕石を充填し、貯水容積の確保を計り、上部は締め固めたる後不織布にて覆いその上は埋め戻し土砂で構成する人工貯水槽の構造と、容器膜の上端をオーバーした水は隔離膜底面の下の砂へ導かれ地下へ浸透涵養できる構造よりなる雨水涵養兼人工貯水法」（特許請求の範囲）
（ｂ）「本発明は・・・流入管に水を送る受水溝と、摺り鉢状に掘削した穴に砂を敷いて、斜面には通水管または不織布シート等通水性を考慮したる後、合成ゴム製隔離膜によって作られた水容器によって構成している。この水容器の中に小砂利を敷き鋳鉄管を並べ隙間には適当に砕石で充填で充填しながら鋳鉄管を積み重ね最後は一様に砕石を充填し、振動機によって充分締め固める。この充填物を積む工程に合わせて取水井戸及び非常用取水管を設置する。」（１頁右欄６〜１４行）
（ｃ）「受水溝１に流入した雨水はその量が少ない時は底に敷いてある砂を通して地下浸透する。量が多くなると水位が高くなり、水は流入管２に入る。この管は隔離膜３によって構成している人工貯水槽の底部に開口していて、そこより槽内に雨水が流入する。隔離膜３の底には砂４を斜面の裏には不織布５を敷きならべ膜に無理な点圧のかかるのを防止している。隔離膜の底部には小砂利６を敷き、その上に砕石が入らないように両端に金網を被せた鋳鉄管７を敷き並べ適当に砕石８を隙間に充填し以後同じ作業を繰り返し容器内部を充填する。工程に合わせて井戸９を設置し、その外壁は二重のストレーナ１０によって構成し、その中間には濾材１１を充填する。濾材１１は流入管２の開口部付近にも配置する。井戸９の中には汲み上げポンプ揚水管１２と非常用水取水管１３を設置する。最上部は砕石８を一定の厚さに仕上げ振動機によって充分締め固めを行う。」（１頁右欄２３行〜２頁左上欄８行）
７．甲第９号証
　本件出願前に頒布された刊行物である甲第９号証には、ゴルフ場グリーンの農薬散布水等の循環使用貯水方法及びその地下構造に関して、以下の事項が記載されている。
（ａ）「【請求項１】所定の地山地盤の表面に、不透水シート等による防水層を造形し、その上部に発泡ポリスチレン等よりなる成形ブロックを組合、積重ねて、その隙間を貯水タンクに形成した軽量ブロック構造層を設け、この軽量ブロック構造層の内部及び層上部に透水性発泡ポリスチレンよりなる排水層を敷設し、その上部全層をグリーン下地層とし、上記排水層より集水した土壌水を貯水タンクに貯水し、この貯水を取出して灌水として再使用することを特徴とするゴルフ場グリーンの農薬散布水等の循環使用貯水方法。【請求項２】所定の地山地盤の表面に、不透水シート等による防水層を造形し、その上部に発泡ポリスチレン等よりなる成形ブロックを組合、積重ねて、その隙間を貯水タンクに形成した軽量ブロック構造層を設け、この軽量ブロック構造層の内部及び層上部に透水性発泡ポリスチレンよりなる排水層を敷設し、その上部全層をグリーン下地層としたことを特徴とするゴルフ場グリーンの農薬散布水等の循環使用貯水地下構造。」（【特許請求の範囲】）
（ｂ）「図中、全体として符号１で示すのは、現存する造形された地山地盤Ｇの全表面に被覆敷設した防水層で、不透水性の合成樹脂性シートやゴム１ａ等とアスファルト資材１ｂから形成する。符号２は前記防水層１上に構築する軽量ブロック構造層で、発泡ポリスチレン等の無機系発泡性材を造成すべき地山地盤Ｇの断面形状に適合するように組合せ、積重ね、各接合面を接着剤やアスファルト等により適宜接着して造形する。図の実施例において、この軽量ブロック構造層２は、発泡ポリスチレン材を立方体状の所要の大きさ、形状に成形したブロック単体を積重ねて上下や左右方向に接合して構成した例を示しているが、その形状は立方体に限ることなく、他の方形や台形でもよい。」（段落【００１０】〜【００１２】）
（ｃ）「符号３は前記軽量ブロック構造層２の隙間に配設された多数の貯水タンクである。図において、この貯水タンク３は、軽量ブロック構造層２を構成する直方体の単体ブロック柱２ａ，２ａ，…により区画され形成されているが、この単体ブロック柱２ａの断面は方形でも円形でも自由に設定できる。符号４は、前記軽量ブロック構造層２の略中間部４ａ及び層上部４ｂに敷設した透水性発泡ポリスチレンよりなる排水層であって、発泡ポリスチレンの発泡粒子を特殊接着剤で固めたもので、連続した空孔容積が約３０％もあり、長期にわたり安定した排水機能を発揮し、透水係数も粒径（ｍｍ）１．０〜５．０の小砂利と同価の効果を有する。そして、この排水層４の構成部材である透水性発泡ポリスチレンは、その体内の空孔により、透水性に優れ、目詰りしにくいばかりでなく耐圧強度、断熱性の点において排水層として排水効果が有効である。図において、排水層４の敷設は、軽量ブロック構造層２の中間部４ａは一層、層上部４ｂは二層に設けた例を示したが、必要に応じて任意に設定できる。符号５は、前記の層上部４ｂに敷設した排水層４の表部を被うように造形されたグリーン下地層で、グリーンの芝生、カップ保持のためのトップ層や作土層、芝の育成基盤層等を構成する。」（段落【００１４】〜【００１９】）
８．甲第１０号証
　甲第１０号証は、本件出願後の平成８年１１月１９日に頒布された刊行物であるから、特許法第２９条第２項についての判断の証拠として採用することができない。
９．甲第１３号証
　本件出願前に頒布された刊行物である甲第１３号証には、プラスチック床パネルに関して、以下の事項が記載されている。
（ａ）「【請求項１】ポリカーボネート又は該ポリカーボネートに、アクリル・ブタジエン・スチレン樹脂が４０〜６０ｗｔ％配合された混成樹脂からなる方形の板状体の四隅に、筒状の脚部を一体に形成し、少なくとも相隣合う脚部間と対角線上の脚部間及び相対向辺間に亘り補強リブを一体に形成すると共に、板状体の中心を囲み上記相対向辺間リブと対角線リブに交差する連結リブを配設してなるプラスチック床パネル。」（実用新案登録請求の範囲）
（ｂ）「【考案の効果】・・・上記材質並びに補強リブ構造を有するので、床パネルの破壊荷重及び衝撃強度など機械的強度が大幅に向上し、・・・」（段落【００１０】）
１０．甲第１４号証
　本件出願前に頒布された刊行物である甲第１４号証には、合成樹脂製床パネルに関して、以下の事項が記載されている。
（ａ）「【請求項１】四角形の板状体の四隅に中空筒状の脚部を形成し、隣合う脚部間及び対角線方向の脚部間を補強リブで連結してなる合成樹脂製床パネルにおいて、上記脚部の断面形状を偏平六角形状ないし楕円形状に形成し、かつ該脚部の長径軸芯方向と対角線方向に向かう補強リブの配設方向を一致させ、脚部の長径長さを板状体の一辺の長さの１／２．５〜１／３．５に設定してなる合成樹脂製床パネル。」（実用新案登録請求の範囲）
（ｂ）「【考案の効果】・・・単位重量当りの耐荷重強度を保持し、かつ床パネルの下側の空間率を大きく採ることができ、・・・」（段落【００１０】）
１１．甲第１５号証
　本件出願前に頒布された刊行物である甲第１５号証には、簡易車庫に関して、以下の事項が記載されている。
（ａ）「上記支柱２の上方延長部２１と、屋根体１の支柱２側の一部分を二辺として形成される三角形状部分には、屋根体１の支持を補強するための補強ブラケット５が設けられている。上記補強ブラケット５は、図３及び図４に示すように、全体が略三角形状に形成されており、支柱２側の側部の上下２箇所には、支柱２の上方延長部２１に嵌まる円筒状の嵌合部５１，５１が固着されている。この補強ブラケット５は、図４に示す如く上記嵌合部５１，５１を支柱２の上方延長部２１に通し、嵌合部５１，５１の外側からボルト５２でネジ止めすることにより、支柱２に対して強固に固定されている。また、補強ブラケット５の屋根体１側の端部には、後述する保持梁７と連結するための連結部５３が一体的に形成されている。」（段落【０００８】）
（ｂ）「【考案の効果】・・・支柱の上方延長部と屋根体の支柱側の一部分とを二辺とする三角形状部分に補強ブラケットを設け、補強ブラケットと連結した保持梁に屋根体を保持するようにしたので、屋根体の補強構造を支柱側の部分でコンパクトに構成することができる。さらに、三角形状部分に補強ブラケットを設けて屋根体を支持するので、十分な強度をもたせることができる。」（段落【００１５】）
１２．甲第１６号証
　本件出願前に頒布された刊行物である甲第１６号証には、キャスターに関して、以下の事項が記載されている。
（ａ）「【請求項１】ローラ取付台の底面に、互いに離間した一対のブラケットを対向させて突設し、これらの間に上記ローラをシャフトを介して回転自在に枢支してなるキャスターにおいて、上記少なくとも一方のブラケットの側面をシャフトの軸線方向から支えるブラケット補強用のリブを、上記取付台の底面より突設していることを特徴とするキャスター。・・・」（実用新案登録請求の範囲）
（ｂ）「【考案の効果】・・・取付台の底面に少なくとも一方のブラケットの一側面をシャフトの軸線方向から支えるように補強用のリブを設けているため、ローラを枢支するシャフトを介してブラケット全体の耐衝撃力を向上させて補強することができる。よって、トランク等の荷物に取り付けて、運搬中や、床面上に置いた場合に発生する衝撃によるブラケットの変形を軽減することができ、該ブラケットが簡単に変形することを防止することができる。」（段落【００２０】）
　　　　　　　　
［４−２−２］本件各特許発明と甲各号証記載の発明との対比・判断
１．本件特許発明１について
　請求人は、本件特許発明１は、上記甲第３号証乃至甲第１０号証及び甲第１３号証乃至甲第１６号証のうち、甲第３号証乃至甲第９号証に記載された発明から当業者が容易に発明できたものである旨主張しているので、以下、本件特許発明１が、甲第３号証乃至甲第９号証記載の発明に基づき、当業者が容易に発明をすることができたものであるか否かについて検討する。
（ａ）本件特許発明１と甲第７号証記載の発明との対比
　甲第７号証には、上記５．（ａ）〜（ｇ）の記載及び図面の記載並びに当業者の技術常識によれば、以下の発明が記載されているものと認められる。
　「地面を掘下げて造成されかつ緩やかな傾斜面とした側壁部が上開き状に傾斜しているタンク部における底部が砂利層で被覆され、縦方向および横方向に並べられかつ上下に段積みされた周側板及び底部を格子状，網状，多孔状に構成してその中に水溜め用の空隙を有するプラスチツク材からなる多数の容器状部材でなる集合体が上記底部に上記砂利層を介して配備されていると共に、この集合体と上記側壁部との間の空間に砂利層が配備され、タンク部に住宅地等から通じる側溝及び河川に接続する流出口を接続し、上記集合体と上記砂利層との上に砂利を敷設しその上に土壌を投入して造成してなる被覆層が配設されている雨水等の貯留浸透施設。」（以下、「甲第７号証記載の発明」という。）
　そこで、本件特許発明１と甲第７号証記載の発明とを対比すると、甲第７号証記載の発明の「地面を掘下げて造成され」，「緩やかな傾斜面とした側壁部」，「タンク部」，「底部」，「容器状部材」，「砂利層」，「砂利を敷設しその上に土壌を投入して造成してなる被覆層」が、本件特許発明１の「地中に凹入状に形成され」，「周囲壁面」，「水溜め空間」，「底壁面」，「積上げ部材」，「小形固形物の集合でなる通水層」，「透水層」にそれぞれ相当し、また、甲第７号証記載の発明の「雨水等の貯留浸透施設」については、「集中豪雨等があつた場合にも、それらの雨水は、側溝１０等を通じてタンク部２内に流入し、一時的には雨水等をこのタンク部２内に滞留保管させて道路や宅地周辺等の被害を未然に防止し、若干長期的には、それらの雨水を地中に浸透させる」（記載事項（ｅ）参照。）及び「一時的には、充分に雨水等の自然水を貯留し、かつ若干長期的には、雨水等を地下に浸透させることができる。河川等への雨水の放流に時間差を生じさせるばかりでなく、これを減少させ、またはなくすこともできる。」（記載事項（ｆ）参照。）との作用効果を奏するものであり、当該作用効果は、本件特許発明１の「地下貯水槽」の作用効果と概略一致するので、本件特許発明１の「地下貯水槽」に相当すると云うことができるから、両者は、
　「地中に凹入状に形成されかつ周囲壁面が上開き状に傾斜している水溜め空間の底壁面に、縦方向および横方向に並べられかつ上下に段積みされた水溜め用の空隙を有する多数の積上げ部材でなる集合体が配備されていると共に、この集合体と上記周囲壁面との間の空間に小形固形物の集合でなる通水層が配備され、上記集合体と上記通水層との上に透水層が配設されている地下貯水槽。」の点で一致し、以下の点で相違する。
＜相違点１＞
　本件特許発明１が、「水溜め空間における底壁面とその底壁面に連続する上記周囲壁面とが通水性を持たない遮水シートで被覆され」、「多数の積上げ部材でなる集合体が上記底壁面に上記遮水シートを介して配備されている」のに対して、甲第７号証記載の発明では、タンク部（水溜め空間）における底部（底壁面）とその底部に連続する側壁部（周囲壁面）とが上記「通水性を持たない遮水シート」により被覆されておらず、したがって、多数の容器状部材（積上げ部材）でなる集合体が上記底部に上記「遮水シート」を介して配備されていない点。
＜相違点２＞
　本件特許発明１が、「（多数の積上げ部材でなる）集合体の周囲に、垂直に立ち上げられた通水性を有する仕切壁が設けられ、この仕切壁と上記周囲壁面との間の空間に小形固形物の集合でなる通水層が配備され」たのに対して、甲第７号証記載の発明では、多数の容器状部材（積上げ部材）でなる集合体の周囲に、上記「垂直に立ち上げられた通水性を有する仕切壁」を有しておらず、当該集合体の周囲に、直接、砂利層（小形固形物の集合でなる通水層）が配備されている点。
（ｂ）相違点についての検討
＜相違点１について＞
　相違点１について検討するために、甲第９号証、甲第８号証及び甲第６号証の１をみると、甲第９号証には、「所定の地山地盤の表面に、不透水シート等による防水層を造形し、その上部に発泡ポリスチレン等よりなる成形ブロックを組合、積重ねて、その隙間を貯水タンクに形成した軽量ブロック構造層を設け」（記載事項（ａ）参照。）及び「符号１で示すのは、現存する造形された地山地盤Ｇの全表面に被覆敷設した防水層で、不透水性の合成樹脂性シートやゴム１ａ等とアスファルト資材１ｂから形成する。符号２は前記防水層１上に構築する軽量ブロック構造層で、発泡ポリスチレン等の無機系発泡性材を造成すべき地山地盤Ｇの断面形状に適合するように組合せ、積重ね」（記載事項（ｂ）参照。）との記載があり、また、甲第８号証には、「地下に隔離膜構造の人工貯水槽を作り雨水の流入を計り、・・・隔離膜の内部には鋳鉄管等の空隙の多い頑丈な加工物と砕石を充填し、貯水容積の確保を計り」（記載事項（ａ）参照。）及び「摺り鉢状に掘削した穴に砂を敷いて、斜面には通水管または不織布シート等通水性を考慮したる後、合成ゴム製隔離膜によって作られた水容器によって構成している。この水容器の中に小砂利を敷き鋳鉄管を並べ隙間には適当に砕石で充填で充填しながら鋳鉄管を積み重ね」（記載事項（ｂ）参照。）との記載があり、さらに、甲第６号証の１には、「図１に示されるタンポン貯水槽（１）は、排出層（２）及び熱可塑性プラスチックの押出し成型により作られた望ましくはポリプロピレン製の垂直巣穴（４）の並列から成るハニカム層（３）から成る。」（記載事項（ａ）参照。）及び「タンポン貯水槽のまわりの土は崩れ得るので、貯水槽の垂直境面（１３）および底（１４）をプラスチックシート、ターポリン又はアスファルト層から成る防水膜（１６）で覆う。」（記載事項（ｄ）参照。）との記載があり、これらの記載によれば、本件特許発明１における、「水溜め空間における底壁面とその底壁面に連続する上記周囲壁面とが通水性を持たない遮水シートで被覆され、・・・集合体が上記底壁面に上記遮水シートを介して配備され」るとの技術は、地下貯水槽の技術分野において周知であり、甲第７号証記載の発明及び甲第９号証，甲第８号証及び甲第６号証の１記載の周知技術に基づき相違点１として摘記した本件特許発明１の構成を想起する点に格別の困難性は認められないから、本件特許発明１の上記相違点１に係る構成は当業者が必要に応じて適宜採用し得る設計的事項にすぎない。
＜相違点２について＞
　本件特許明細書によれば、従来技術として、特公平４−２６６４８号公報（甲第７号証。以下、「甲第７号証」で統一。）が挙げられ、このような甲第７号証記載の従来の地下貯水槽においては、「緩やかな傾斜面とした側壁部（周囲壁面）」を有するものの、「水溜め空間の周囲壁面が垂直に近い角度になって」いて、これにより、積上げ部材の「集合体の水溜め空間内での納まりをよくする」ものであるが、上記のように、「水溜め空間の周囲壁面が垂直に近い角度になっていると、土質によってはその周囲壁面が容易に崩れ落ちたり、また、地下水の流れや地表から地中に浸み込んだ雨水の流れによって水溜め空間の周囲の地層に緩みが生じたりすることに起因して、上記周囲壁面が側壁としての上記砂利層によって内側から支持されているとしても、その周囲壁面が崩れるおそれが多分にある」（段落【０００２】【０００３】参照。）から、「上記水溜め空間の周囲壁面を崩れない程度の角度に傾斜させてその周囲壁面の安定化を図ることが、その周囲壁面の崩壊を防ぐ上で有効になる。しかしながらそのように上記水溜め空間の周囲壁面を崩れない程度の角度に傾斜させると、上記積上げ部材を縦横に並べかつ上下に段積みすることによって形成される上記集合体の外側面と上記周囲空間との間に大きな空間が形成されてしまうので、その空間をどのように処理しておくかが問題になる。」（段落【０００４】参照。）との認識のもと、「上記集合体の外側面と上記周囲空間との間に形成される大きな空間を、通水性を確保したまま埋めることができ、しかも、上記周囲壁面に下向き荷重が加わるようにしてその周囲壁面の崩壊を有効に防止することのできる地下貯水槽を提供すること」及び「水溜め空間の周囲壁面が傾斜していても上記集合体の納まりがよくなる地下貯水槽を提供すること」（段落【０００５】参照。）を目的とすることが記載されている。
　そこで、相違点２について検討するために、甲第８号証及び甲第３号証をみると、甲第８号証には、「地下に隔離膜構造の人工貯水槽を作り雨水の流入を計り」（記載事項（ａ）参照。）、「摺り鉢状に掘削した穴に砂を敷いて、斜面には通水管または不織布シート等通水性を考慮したる後、合成ゴム製隔離膜によって作られた水容器によって構成している。この水容器の中に小砂利を敷き鋳鉄管を並べ隙間には適当に砕石で充填で充填しながら鋳鉄管を積み重ね最後は一様に砕石を充填し、振動機によって充分締め固める。この充填物を積む工程に合わせて取水井戸及び非常用取水管を設置する。」（記載事項（ｂ）参照。）及び「隔離膜の底部には小砂利６を敷き、その上に砕石が入らないように両端に金網を被せた鋳鉄管７を敷き並べ適当に砕石８を隙間に充填し以後同じ作業を繰り返し容器内部を充填する。工程に合わせて井戸９を設置し、その外壁は二重のストレーナ１０によって構成し、その中間には濾材１１を充填する。濾材１１は流入管２の開口部付近にも配置する。井戸９の中には汲み上げポンプ揚水管１２と非常用水取水管１３を設置する。」（記載事項（ｃ）参照。）との記載があり、これらの記載によれば、浄水を貯水する井戸９を、中間に濾材１１を充填した二重のストレーナ１０からなる外壁（本件特許発明１の「垂直に立ち上げられた通水性を有する仕切壁」に相当する。以下同様。）を備えた構造とし、当該外壁と人工貯水槽（「地下貯水槽」）の周囲壁面との間の空間に砕石８（「小形固形物」）等の集合でなる通水層を配備する技術が記載されているものと認められ、また、甲第３号証にも、「浄水の汲みあげ口（４）を有し上から掘られ下方に隙間を有して設けられた井戸の壁と、支那鍋のようにできた粘土層（１）の周囲壁面との間に、砂の埋まっている部分（２）（砂の層からなる通水層）が形成されてなるポッツォ」（記載事項（ｃ）参照。）が記載され、当該記載によれば、井戸の壁と粘土層（１）（「地下貯水槽」）の周囲壁面との間の空間に砂（「小形固形物」）の集合でなる通水層を配備する技術が記載されている。
　而して、甲第８号証記載の発明は、上記井戸９の外壁により、井戸内への砕石８の侵入を防止するとともに鋳鉄管７等の納まりを良くしそれらの側方への崩れ落ちや位置ずれを防止する等の機能を有するものと推認でき、また、甲第３号証記載の発明においては、上記井戸の壁により、井戸内への砂の侵入を防止するとともに砂の側方への崩れ落ちを防止する等の機能を有するものと推認できるものの、甲第８号証及び甲第３号証記載の発明の何れにも、本件特許発明１における「（多数の積上げ部材でなる）集合体」に相当する部材が井戸内に配備されておらず、さらに、甲第３号証記載の発明における上記井戸の壁は、それ自身は通水性を有しないものであって、本件特許発明１における「通水性を有する仕切壁」に相当するとは云えないものであり、しかも、甲第７号証記載の発明においては、上記従来技術としての技術内容によれば、本件特許発明１におけるような、通水層を形成している砕石などの小形固形物の集合体内部への侵入を防止するとの技術課題は有するものの、多数の積上げ部材でなる集合体の納まりを良くしそれらの側方への崩れ落ちや位置ずれを防止するとの技術課題は有していないものとするのが相当であるから、甲第７号証記載の発明に甲第８号証及び甲第３号証記載の発明の技術を適用することを妨げる事由があることは明らかである。また、甲第４号証及び甲第５号証記載の発明の何れをみても、上記妨げる事由を解消するには至らない。
　したがって、甲第３号証乃至甲第９号証記載の発明に基づき相違点２として摘記した本件特許発明１の構成を想起することはできないものと云わざるを得ない。
（ｃ）作用効果・判断
　本件特許発明１は、上記相違点２として摘記した構成によって、本件特許明細書に記載のような、「その仕切壁によって、上記通水層を形成している砕石などの小形固形物が上記集合体の内部の水溜め用の空隙に入ることがなく、また、部分的に力の加わった小形固形物によって積上げ部材が所定の位置からずれることが防止され、同時に、上記透水層の上を人が歩いたり自動車が走行したりしたときにその透水層を介して上記集合体に加わる水平方向の荷重が上記仕切壁により分散されて受け止められるので、上記集合体がその側方へ崩れ落ちたり位置ずれしたりするといった事態が防止される。しかも、上記仕切壁は上記集合体の納まりをよくすることにも役立っている。」（段落【０００７】参照。）との、甲第３号証乃至甲第９号証記載の発明からは予測し得ない格別の作用効果を奏するものであるから、本件特許発明１は、甲第３号証乃至甲第９号証記載の発明に基づき、当業者が容易に発明をすることができたものと云うことはできない。
２．本件特許発明２〜８について　　　　　
　本件特許発明２〜８は、何れも、本件特許発明１を直接的に或いは間接的に引用して、本件特許発明１を特定するための事項について、さらに、他の事項を付加して限定したものであるから、上記したように、本件特許発明１が、甲第３号証乃至甲第９号証記載の発明に基づき、当業者が容易に発明をすることができたものと云うことができない以上、本件特許発明２〜８も、同様に、甲第３号証乃至甲第９号証及び甲第１３号証乃至甲第１６号証記載の発明に基づき、当業者が容易に発明をすることができたものと云うことはできない。
　　　　　　
［４−２−３］特許法第２９条第２項についてのまとめ
　結局、本件特許発明１〜８は、何れも、本件出願前に公知の甲第３号証乃至甲第９号証及び甲第１３号証乃至甲第１６号証記載の発明に基づき、当業者が容易に発明をすることができたものとすることはできないから、本件特許発明１〜８についての特許が、特許法第２９条第２項の規定に違反してされたものと云うことはできない。
　　　　　　　
　　　　　　　
［５］むすび
　以上のとおりであるから、請求人の主張及び提出した証拠方法によっては、本件特許発明１〜８についての特許を無効とすることはできない。
　審判に関する費用については、特許法第１６９条第２項の規定において準用する民事訴訟法第６１条の規定により、請求人が負担すべきものとする。
　よって、結論のとおり審決する。